【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】  少なくとも５％のイオン抽出ファクターを示す多価カチオン含有化合物と結合した繊維と、超吸収性ポリマー粒子とを含む吸収構造体。
【請求項２】  繊維が、少なくとも２５％のイオン抽出ファクターを示す請求項１記載の構造体。
【請求項３】  繊維が、少なくとも５０％のイオン抽出ファクターを示す請求項１記載の構造体。
【請求項４】  繊維が、少なくとも９０％のイオン抽出ファクターを示す請求項１記載の構造体。
【請求項５】  多価カチオンが、繊維の０．２５重量％より多く５重量％までの量で存在する、請求項１記載の構造体。
【請求項６】  多価カチオンが、繊維の０．２５重量％ないし２．５重量％の間の量で存在する、請求項１記載の構造体。
【請求項７】  多価カチオンが、繊維の０．４重量％ないし１．２重量％の間の量で存在する、請求項１記載の構造体。
【請求項８】  多価カチオンが、遷移金属イオンである請求項１記載の構造体。
【請求項９】  カチオンが、アルミニウム、鉄、スズおよびこれらの混合物からなる群から選択される請求項１記載の構造体。
【請求項１０】  多価カチオンが、＋３または＋４酸化状態である、請求項１記載の構造体。
【請求項１１】  化合物が多価金属塩である、請求項１記載の構造体。
【請求項１２】  化合物が、アルミニウム、鉄およびスズの水酸化物、並びにこれらの混合物からなる群から選択される請求項９記載の構造体。
【請求項１３】  化合物が、アルミニウム、鉄およびスズの水溶性の塩、並びにこれらの混合物からなる群から選択される、請求項９記載の構造体。
【請求項１４】  繊維に結合したイオン化しうる酸をさらに含む、請求項１記載の構造体。
【請求項１５】  酸が、繊維の０．５重量％ないし１０重量％の量で存在する、請求項１４記載の構造体。
【請求項１６】  酸が、少なくとも二つのカルボン酸基を有する有機酸である、請求項１４記載の構造体。
【請求項１７】  酸が、Ｃ２からＣ１２有機酸からなる群から選択される、請求項１６記載の構造体。
【請求項１８】  酸がクエン酸である、請求項１６記載の構造体。
【請求項１９】  クエン酸が、繊維の０．５重量％ないし３重量％の間の量で存在する、請求項１８記載の構造体。
【請求項２０】  酸が多価カルボン酸である、請求項１４記載の構造体。
【請求項２１】  酸がスルホン酸である、請求項１４記載の構造体。
【請求項２２】  酸が多価スルホン酸である、請求項１４記載の構造体。
【請求項２３】  酸が、クエン酸、ブタンテトラカルボン酸、アスパラギン酸、リンゴ酸、マレイン酸、酒石酸、パラトルエンスルホン酸、およびこれらの混合物からなる群から選択される、請求項１４記載の構造体。
【請求項２４】  繊維が、少なくとも８０％のアルファセルロースであり、かつ、少なくとも８０％の保水値を備える請求項１記載の構造体。
【請求項２５】  繊維が、少なくとも９５％のアルファセルロースであり、少なくとも２５％のカールを備え、かつ、９０％未満の保水値を備える請求項１記載の構造体。
【請求項２６】  繊維が、架橋され、５０％より多くのカールを有し、かつ、６０％未満の保水値を備える請求項１記載の構造体。
【請求項２７】  繊維が、軟材セルロース、硬材セルロース、コットン、アフリカハネガヤ草、バガス、麻、亜麻、化学変性セルロース、物理的変性セルロース、再生セルロース、細菌生成セルロース、リオセル、酢酸セルロースおよびこれらの混合物からなる群から選択されたセルロース繊維である、請求項２４記載の構造体。
【請求項２８】  界面活性剤で処理された疎水性繊維、シリカで処理された疎水性繊維、表面酸化疎水性繊維およびこれらの混合物からなる群から選択される、請求項１記載の構造体。
【請求項２９】  繊維に結合した還元剤をさらに含む、請求項１記載の構造体。
【請求項３０】  還元剤が、次亜リン酸ナトリウム、重亜硫酸ナトリウムおよびこれらの混合物からなる群から選択される請求項２９記載の構造体。
【請求項３１】  超吸収性ポリマーが、スターチ-アクリラートグラフトコポリマー、ポリアクリラート、カルボキシメチルセルロース誘導体およびこれらの混合物からなる群から選択される、請求項１記載の構造体。
【請求項３２】  繊維およびポリマーが混合物形態である、請求項１記載の構造体。
【請求項３３】  粒子が、繊維および粒子の４０重量％より多い量で存在する、請求項１記載の構造体。
【請求項３４】  粒子が、繊維および粒子の６０重量％ないし８０重量％の間の量で存在する、請求項３３記載の構造体。
【請求項３５】  捕捉層と、当該捕捉層と流体連絡可能な貯蔵層とを備えた吸収構造体であって、前記貯蔵層が、多価カチオン含有化合物と結合した、少なくとも５％のイオン抽出ファクターを示す繊維と超吸収性ポリマー粒子とを含む、吸収構造体。
【請求項３６】  多価カチオンが、繊維の０．２５重量％より多く５重量％までの量で存在する、請求項３５記載の構造体。
【請求項３７】  カチオンが、アルミニウム、鉄、スズおよびこれらの混合物からなる群から選択される請求項３５記載の構造体。
【請求項３８】  繊維に結合したイオン化しうる酸をさらに含む、請求項３５記載の構造体。
【請求項３９】  繊維に結合した還元剤をさらに含む、請求項３５記載の構造体。
【請求項４０】  超吸収性ポリマーが、スターチ-アクリラートグラフトコポリマー、ポリアクリラート、カルボキシメチルセルロース誘導体およびこれらの混合物からなる群から選択される、請求項３５記載の構造体。
【請求項４１】  粒子が、繊維および粒子の４０重量％より多い量で存在する、請求項３５記載の構造体。
【請求項４２】  捕捉層と、当該捕捉層と流体連絡可能な貯蔵層とを備えた吸収構造体であって、前記貯蔵層が、多価カチオン含有化合物と結合した親水性繊維を含み、かつ、超吸収性ポリマー粒子を含む吸収構造体。
【請求項４３】  多価カチオンが、繊維の０．２５重量％より多く５重量％までの量で存在する、請求項４２記載の構造体。
【請求項４４】  カチオンが、アルミニウム、鉄、スズおよびこれらの混合物からなる群から選択される請求項４２記載の構造体。
【請求項４５】  繊維に結合したイオン化しうる酸をさらに含む、請求項４２記載の構造体。
【請求項４６】  繊維に結合した還元剤をさらに含む、請求項４２記載の構造体。
【請求項４７】  超吸収性ポリマーが、スターチ-アクリラートグラフトコポリマー、ポリアクリラート、カルボキシメチルセルロース誘導体およびこれらの混合物からなる群から選択される、請求項４２記載の構造体。
【請求項４８】  粒子が、繊維および粒子の４０重量％より多い量で存在する、請求項４２記載の構造体。
【請求項４９】  液体透過性トップシートと液体不透過性バックシートとを含むシャシー、および前記トップシートとバックシートとの間の吸収構造体を含む使い捨て吸収製品であって、前記吸収構造体が、前記トップシートと流体連絡可能な捕捉層と、当該捕捉層と流体連絡可能な貯蔵層とを含み、当該貯蔵層は、少なくとも５％のイオン抽出ファクターを示す、多価カチオン含有化合物と結合した繊維と、超吸収性ポリマー粒子とを含む吸収製品。
【請求項５０】  多価カチオンが、繊維の０．２５重量％より多く５重量％までの量で存在する、請求項４９記載の製品。
【請求項５１】  カチオンが、アルミニウム、鉄、スズおよびこれらの混合物からなる群から選択される請求項４９記載の製品。
【請求項５２】  繊維に結合したイオン化しうる酸をさらに含む、請求項４９記載の製品。
【請求項５３】  繊維に結合した還元剤をさらに含む、請求項４９記載の製品。
【請求項５４】  超吸収性ポリマーが、スターチ-アクリラートグラフトコポリマー、ポリアクリラート、カルボキシメチルセルロース誘導体およびこれらの混合物からなる群から選択される、請求項４９記載の製品。
【請求項５５】  粒子が、繊維の０．２５重量％より多く５重量％までの量で存在する、請求項４９記載の製品。
【請求項５６】  製品が、幼児用おむつ、トレーニングパンツ、成人用の失禁用ブリーフおよび女性用衛生パッドからなる群から選択される、請求項４９記載の製品。
【請求項５７】  液体透過性トップシートと液体不透過性バックシートとを含むシャシー、および前記トップシートとバックシートとの間の吸収構造体を含む使い捨て吸収製品であって、前記吸収構造体が、前記トップシートと流体連絡可能な捕捉層、および当該捕捉層と流体連絡可能な貯蔵層とを含み、当該貯蔵層は、多価カチオン含有化合物と結合した繊維と、超吸収性ポリマー粒子とを含む吸収製品。
【請求項５８】  多価カチオンが、繊維の０．２５重量％より多く５重量％までの量で存在する、請求項５７記載の製品。
【請求項５９】  カチオンが、アルミニウム、鉄、スズおよびこれらの混合物からなる群から選択される請求項５７記載の製品。
【請求項６０】  繊維に結合したイオン化しうる酸をさらに含む、請求項５７記載の製品。
【請求項６１】  繊維に結合した還元剤をさらに含む、請求項５７記載の製品。
【請求項６２】  超吸収性ポリマーが、スターチ-アクリラートグラフトコポリマー、ポリアクリラート、カルボキシメチルセルロース誘導体およびこれらの混合物からなる群から選択される、請求項５７記載の製品。
【請求項６３】  粒子が、繊維の０．２５重量％より多く５重量％までの量で存在する、請求項５７記載の製品。
【請求項６４】  製品が、幼児用おむつ、トレーニングパンツ、成人用の失禁用ブリーフおよび女性用衛生パッドからなる群から選択される、請求項５７記載の製品。
【請求項６５】  液体透過性トップシートと液体不透過性バックシートとを含むシャシー、および前記トップシートとバックシートとの間の吸収構造体を含む使い捨て吸収製品であって、前記吸収構造体が、前記トップシートと流体連絡可能な、多価カチオン含有化合物と結合した繊維を含む捕捉層と、当該捕捉層と流体連絡可能な、繊維および超吸収性ポリマー粒子を含む貯蔵層とを含む吸収製品。
【請求項６６】  多価カチオンが、貯蔵層において、繊維の０．２５重量％より多く５重量％までの量で存在する、請求項６５記載の製品。
【請求項６７】  カチオンが、アルミニウム、鉄、スズおよびこれらの混合物からなる群から選択される請求項６５記載の製品。
【請求項６８】  捕捉層に存在するイオン化しうる酸をさらに含む、請求項６５記載の製品。
【請求項６９】  捕捉層における繊維に結合した還元剤をさらに含む、請求項６５記載の製品。
【請求項７０】  超吸収性ポリマーが、スターチ-アクリラートグラフトコポリマー、ポリアクリラート、カルボキシメチルセルロース誘導体およびこれらの混合物からなる群から選択される、請求項６５記載の製品。
【請求項７１】  粒子が、貯蔵層において繊維の０．２５重量％より多く５重量％までの量で存在する、請求項６５記載の製品。
【請求項７２】  製品が、幼児用おむつ、トレーニングパンツ、成人用の失禁用ブリーフおよび女性用衛生パッドからなる群から選択される、請求項６５記載の製品。
【請求項７３】  液体透過性トップシートと液体不透過性バックシートとを含むシャシー、および前記トップシートとバックシートとの間の吸収構造体を含む使い捨て吸収製品であって、前記吸収構造体が、前記トップシートと流体連絡可能な捕捉層と、当該捕捉層と流体連絡可能な、多価カチオン含有化合物と結合した繊維を含む分散層と、当該分散層と流体連絡可能な、繊維および超吸収性ポリマー粒子を含む貯蔵層とを含む吸収製品。
【請求項７４】  多価カチオンが、貯蔵層において、繊維の０．２５重量％より多く５重量％までの量で存在する、請求項７３記載の製品。
【請求項７５】  カチオンが、アルミニウム、鉄、スズおよびこれらの混合物からなる群から選択される請求項７３記載の製品。
【請求項７６】  分散層の繊維に結合したイオン化しうる酸をさらに含む、請求項７３記載の製品。
【請求項７７】  分散層の繊維に結合した還元剤をさらに含む、請求項７３記載の製品。
【請求項７８】  超吸収性ポリマーが、スターチ-アクリラートグラフトコポリマー、ポリアクリラート、カルボキシメチルセルロース誘導体およびこれらの混合物からなる群から選択される、請求項７３記載の製品。
【請求項７９】  粒子が、貯蔵層において繊維の０．２５重量％より多く５重量％までの量で存在する、請求項７３記載の製品。
【請求項８０】  製品が、幼児用おむつ、トレーニングパンツ、成人用の失禁用ブリーフおよび女性用衛生パッドからなる群から選択される、請求項７３記載の製品。
【請求項８１】  セルロース繊維のスラリーのｐＨを３．８から４．２の間に調節すること、当該スラリーに硫酸アルミニウムを導入すること、繊維スラリーを攪拌して、ｐＨを５．５から５．９の間に上昇させること、前記繊維からウェブを形成すること、当該ウェブに前記繊維の０．５重量％ないし５重量％の量のイオン化しうる酸を適用すること、繊維を乾燥させて個別化すること、および、当該繊維に超吸収性ポリマー粒子を導入して吸収構造体を形成することを含む、吸収構造体の調製方法。
【請求項８２】  酸を、吹付け、ペインティングおよびフォーミングからなる群から選択された方法によって適用する、請求項８１記載の方法。
【請求項８３】  ウェブに還元剤を適用する工程をさらに含む、請求項８１記載の方法。
【請求項８４】  酸の適用後に、還元剤を適用する、請求項８３記載の方法。
【請求項８５】  セルロース繊維のスラリーのｐＨを３．８ないし４．２の間に調節すること、当該スラリーに硫酸アルミニウムを導入すること、繊維スラリーを攪拌して、そのｐＨを５．５ないし５．９の間に上昇させること、当該繊維からウェブを形成すること、前記ウェブに繊維の６．２重量％ないし６．８重量％の量の硫酸アルミニウムを適用すること、繊維を乾燥させて個別化すること、および、当該繊維に超吸収性ポリマー粒子を導入して吸収構造体を形成することを含む、吸収構造体の調製方法。
【請求項８６】  硫酸アルミニウムを、吹付け、ペインティングおよびフォーミングからなる群から選択された方法によって適用する、請求項８５記載の方法。
【請求項８７】  ウェブに還元剤を適用する工程をさらに含む、請求項８５記載の方法。
【請求項８８】  硫酸アルミニウムの適用後に、還元剤を適用する、請求項８５記載の方法。
【請求項８９】  超吸収性ポリマー粒子を多価カチオン含有化合物の水溶液と混合すること、乾燥混合物が形成されるまで当該混合物を１００℃以上で乾燥させること、当該乾燥混合物を破砕して粒子を形成すること、および、繊維を含有する吸収構造体に前記粒子を導入することを含む、吸収構造体を調製する方法。
【請求項９０】  セルロース繊維のスラリーを形成すること、前記繊維からウェブを形成すること、当該ウェブに繊維の６．２重量％ないし７．０重量％の量の硫酸アルミニウムを適用すること、繊維を乾燥させて個別化すること、および繊維に超吸収性ポリマー粒子を導入して、吸収構造体を形成することを含む、吸収構造体を調製する方法。
【請求項９１】  硫酸アルミニウムを、吹付け、ペインティングおよびフォーミングからなる群から選択された方法によって適用する、請求項９０記載の方法。
【請求項９２】  ウェブに還元剤を適用する工程をさらに含む、請求項９０記載の方法。
【請求項９３】  硫酸アルミニウムの適用後に、還元剤を適用する、請求項９２記載の方法。
【請求項９４】  多価カチオンが繊維の０．２５重量％より多く５重量％までの量で存在し、前記繊維が少なくとも５％のイオン抽出ファクターを示す、多価カチオン含有化合物に結合した繊維と、当該繊維および粒子の５０重量％ないし８０重量％の量で存在する超吸収性ポリマー粒子とを含み、１６より大きな浸透性ファクターを有する吸収構造体。
【請求項９５】  浸透性ファクターが１４０より大きい、請求項９４記載の吸収構造体。
【請求項９６】  前記繊維がトップシートを形成する、請求項１記載の吸収構造体。
【請求項９７】  少なくとも５％のイオン抽出ファクターを示す、多価カチオン含有化合物に結合した繊維を含む不織り材と、超吸収性ポリマー粒子とを含む吸収構造体。
【請求項９８】  多価カチオンが繊維の０．２５重量％ないし５重量％の間の量で存在し、前記繊維が少なくとも５％のイオン抽出ファクターを示す、多価カチオン含有化合物に結合した繊維と、当該繊維および粒子の５０重量％ないし８０重量％の量で存在する超吸収性ポリマー粒子とを含み、１０ｇ／ｇより大きな水平ウィッキングファクターを有する吸収構造体。
【請求項９９】  多価カチオンが繊維の３．２５重量％ないし３．７５重量％の間の量で存在し、４０ｇ／ｇより大きな水平ウィッキングファクターを有する、請求項９８記載の吸収構造体。
【請求項１００】  超吸収性ポリマー粒子を、多価カチオン含有化合物の非水性溶液と混合すること、当該混合物を、乾燥混合物が形成されるまで乾燥させること、および繊維を含む吸収構造体に前記粒子を導入することを含む、吸収構造体を調製する方法。
【請求項１０１】  非水性溶液が、メタノール、エタノール、ｎ−プロパノール、イソ−プロパノール、アセトンおよびこれらの混合物からなる群から選択された溶媒を用いて調製される、請求項１００記載の方法。
【請求項１０２】  乾燥工程が１００℃未満の温度で実施される、請求項１００記載の方法。
【請求項１０３】  乾燥工程が４０℃未満の温度で実施される、請求項１００記載の方法。
【請求項１０４】  少なくとも５％のイオン抽出ファクターを示す、多価カチオン含有化合物と結合した繊維。
【請求項１０５】  少なくとも２５％のイオン抽出ファクターを示す請求項１０４記載の繊維。
【請求項１０６】  少なくとも５０％のイオン抽出ファクターを示す請求項１０５記載の繊維。
【請求項１０７】  少なくとも９０％のイオン抽出ファクターを示す請求項１０６記載の繊維。
【請求項１０８】  多価カチオンが、繊維の０．２５重量％より多く５重量％までの量で存在する、請求項１０４記載の繊維。
【請求項１０９】  多価カチオンが、繊維の０．２５重量％ないし２．５重量％の間の量で存在する、請求項１０８記載の繊維。
【請求項１１０】  多価カチオンが、繊維の０．４重量％ないし１．２重量％の間の量で存在する、請求項１０９記載の繊維。
【請求項１１１】  多価カチオンが、遷移金属イオンである請求項１０４記載の繊維。
【請求項１１２】  カチオンが、アルミニウム、鉄、スズおよびこれらの混合物からなる群から選択される請求項１０４記載の繊維。
【請求項１１３】  多価カチオンが、＋３または＋４酸化状態である、請求項１０４記載の繊維。
【請求項１１４】  化合物が多価金属塩である、請求項１０４記載の繊維。
【請求項１１５】  化合物が、アルミニウム、鉄およびスズの水酸化物、並びにこれらの混合物からなる群から選択される請求項１１４記載の繊維。
【請求項１１６】  化合物が、アルミニウム、鉄およびスズの水溶性の塩、並びにこれらの混合物からなる群から選択される、請求項１１４記載の繊維。
【請求項１１７】  少なくとも一つの繊維に結合したイオン化しうる酸をさらに含む、請求項１０４記載の繊維。
【請求項１１８】  酸が、繊維の０．５重量％ないし１０重量％の量で存在する、請求項１１７記載の繊維。
【請求項１１９】  酸が、少なくとも二つのカルボン酸基を有する有機酸である、請求項１１７記載の繊維。
【請求項１２０】  酸が、Ｃ２からＣ１２有機酸からなる群から選択される、請求項１１９記載の繊維。
【請求項１２１】  酸がクエン酸である、請求項１１９記載の繊維。
【請求項１２２】  クエン酸が、繊維の０．５重量％ないし３重量％の間の量で存在する、請求項１２１記載の繊維。
【請求項１２３】  酸が多価カルボン酸である、請求項１１７記載の繊維。
【請求項１２４】  酸がスルホン酸である、請求項１１７記載の繊維。
【請求項１２５】  酸が多価スルホン酸である、請求項１１７記載の繊維。
【請求項１２６】  酸がシュウ酸である、請求項１１７記載の繊維。
【請求項１２７】  酸が、クエン酸、ブタンテトラカルボン酸、アスパラギン酸、リンゴ酸、マレイン酸、酒石酸、パラトルエンスルホン酸、およびこれらの混合物からなる群から選択される、請求項１１７記載の繊維。
【請求項１２８】  少なくとも８０％のアルファセルロースであり、かつ、少なくとも８０％の保水値を備える請求項１０４記載の繊維。
【請求項１２９】  少なくとも９５％のアルファセルロースであり、少なくとも２５％のカールを備え、かつ、９０％未満の保水値を備える請求項１０４記載の繊維。
【請求項１３０】  架橋され、５０％より多くのカールを有し、かつ、６０％未満の保水値を備える請求項１０４記載の繊維。
【請求項１３１】  軟材セルロース、硬材セルロース、コットン、アフリカハネガヤ草、バガス、麻、亜麻、化学変性セルロース、物理的変性セルロース、再生セルロース、細菌生成セルロース、リオセル、酢酸セルロースおよびこれらの混合物からなる群から選択されたセルロース繊維である、請求項１０４記載の繊維。
【請求項１３２】  界面活性剤で処理された疎水性繊維、シリカで処理された疎水性繊維、表面酸化疎水性繊維およびこれらの混合物からなる群から選択される、請求項１０４記載の繊維。
【請求項１３３】  繊維に結合した還元剤をさらに含む、請求項１０４記載の繊維。
【請求項１３４】  還元剤が、次亜リン酸ナトリウム、重亜硫酸ナトリウムおよびこれらの混合物からなる群から選択される請求項１３３記載の繊維。
【請求項１３５】  酸がシュウ酸である、請求項１６記載の構造。